(57)【要約】      （修正有）【課題】取着位置の調整が可能であると共にリサイクル可能であり、強度に優れ、正確かつ効率的に施工することができる建材割付用具を提供する。【解決手段】建物の壁又は屋根に建材を施工するための建材割付用具２０、３０であって、金属製の長尺材からなり、長手方向に所定間隔の割付目印２１、３１が表示してある。割付目印間に寸法測定用目盛２５を表示したものであることが好ましく、スライド固定可能な固定部材４０を備えることが更に好ましい。【選択図】図１
0003231853.tif 000002
【実用新案登録請求の範囲】
【請求項１】
建物の壁又は屋根に建材を施工するための建材割付用具であって、金属製の長尺材からなり、該長尺材の長手方向に所定間隔の割付目印を表示した建材割付用具。
【請求項２】
前記割付目印間に更に寸法測定用目盛を表示したものである請求項１に記載の建材割付用具。
【請求項３】
建物の壁又は屋根に取着に際してスライド固定可能な固定部材を更に備える請求項１又は２に記載の建材割付用具。 
【考案の詳細な説明】
【技術分野】
【０００１】
本考案は、建材施工用の割付用具に関する。更に詳しくは、本考案は、取着位置の調整が可能であると共にリサイクルが可能であり、強度に優れ、正確かつ効率的に建材を施工することのできる建材割付用具に関する。
【背景技術】
【０００２】
従来、例えば、図３に示すように、建物１００の壁面に長尺の建材１〜１６を取り付け施工するには、例えば、足場５１〜５３を設置し、４人の作業者９１〜９４により、壁端７１に建材１の右端１ａを合わせて取り付ける。次いで、建材１の左端１ｂに合わせて建材２以降を取り付け施工する。この場合、現場において、予め水平方向に施工された上段と下段の胴縁（不図示）それぞれにスケールを用いて寸法出しを行い、墨入れ等で目印を付け、建材の取付位置を決める。
しかしながら、上段と下段の胴縁の目印は、別々に付けなければならず、上段と下段では、目印の位置にずれが生ずる場合がある。そうすると、建材２〜１６へと取り付けていくに従って、次第にずれが大きくなってしまうおそれがある。
また、建材３の場合は、窓６１、６３に沿って切り欠く必要がある。すなわち、図４に示すように窓６１の右側端６１ａに沿って、右端３ａ及び左端３ｂからなる建材３の一部を窓枠に沿って、切り欠き端３ｃ、３ｄ、３eからなる切り欠き部３Ｎを形成する必要がある。この場合、通常２人の作業者が、足場から降りて、切り欠き作業を行う。
ここで、横方向の建材のずれを防ぐため、切り欠いた建材３の取り付け後に、順次、建材４（４′、４″）、建材５（５′、５″）の取り付け作業をする必要がある。そうすると、他の２人の作業者は、作業の中断をせざるを得ない。同様に、先行して建材６を取り付けることはできず、また同様に、建材１２の切り欠き作業を行うこともできない。
更に、順次、建材１５まで取り付け作業を完了して、建材１６を取り付けようとすると、少しづつのずれが累積することにより、図３に示すように、建材１６の右端１６ａを建材１５の左端に合わせ、建物１００の壁端７２に建材１６の左端１６ｂを合わせようとすると、用意した建材１６をカットして取り付けなければならない。そうすると、建材１６が、すでに取り付けが完了した建材１〜１５よりも狭い幅となる場合には、外観の意匠性が損なわれることになる。
【０００３】
ここで、建材の取り付けを正確に行うための、寸法割付テープが提案されている（例えば、特許文献１参照。）。
【先行技術文献】
【特許文献】
【０００４】
【特許文献１】特開２００１−１０５３５５号公報
【考案の概要】
【考案が解決しようとする課題】
【０００５】
特許文献１に記載の寸法割付テープは、テープの貼着裏面を接着材等で処理すると共に、テープ表面に寸法規準線を線引し、その規準線を規準として内装用の天井用化粧ボード、壁用ボード、せっこうボード等の各建材の取付区分及び寸法毎に識別マーク等を割付け表示して剥離自在に巻込み形成したものである。この寸法割付テープによれば、従来の作業者によるによる寸法割付に比し、省力化と寸法の正確性が確保される。
【０００６】
しかしながら、特許文献１に記載の寸法割付テープは、下地材に接着して使用するものであり、寸法割付テープを一旦貼り付けるとその位置を変更することが難しい。また、寸法割付テープ上に建材を施工すると、再利用することができない。
本考案は、上記の課題を解決するものであり、取着位置の調整が可能であると共にリサイクルが可能であり、強度に優れ、正確かつ効率的に建材を施工することのできる建材割付用具を提供することを目的とする。
【課題を解決するための手段】
【０００７】
本考案における課題を解決するための手段は、以下の通りである。
１．建物の壁又は屋根に建材を施工するための割付用具であって、金属製の長尺材からなり、該長尺材の長手方向に所定間隔の割付目印を表示した建材割付用具。
２．前記割付目印間に更に寸法測定用目盛を表示したものである前記１．に記載の建材割付用具。
３．建物の壁又は屋根に取着に際してスライド固定可能な固定部材を更に備える前記１．又は２．に記載の建材割付用具。
【考案の効果】
【０００８】
１．本考案の建材割付用具は、金属製の長尺材の長手方向に所定間隔の割付目印を表示したものであり、取着位置の調整が可能であると共にリサイクル可能であり、強度に優れ、正確かつ効率的に施工することができる。
２．割付目印間に更に寸法測定用目盛を表示したものである場合には、採寸するためのスケールとしても利用できる。
３．スライド固定可能な固定部材を更に備える場合には、スライドすることにより目印の位置を変更することができる。
【図面の簡単な説明】
【０００９】
【図１】実施形態の建材割付用具を用いた建材の施工方法を示す模式的な説明図である。
【図２】図１のＡ−Ａ断面図である。
【図３】一般的な建材の施工方法を示す模式的な説明図である。
【図４】図３の囲み線内の拡大図（足場を省略）である。
【考案を実施するための形態】
【００１０】
本考案を具体化した建材割付用具を図１及び図２に示す。
図１に示すように、建材割付用具２０、３０は、建物１００の壁又は屋根に建材１〜１６を施工するために用いる用具であり、金属製の長尺材の長手方向に所定間隔の割付目印２１が表示してある。
建材割付用具２０、３０は、金属製であるため、伸縮率が小さく、使用に際して高い寸法精度を維持することができる。また、強度に優れ、外壁、屋根に用いた場合、長期間の風雨や、強い紫外線に曝されても、十分な耐久性を保持しやすい。金属の種類は特に限定はないが、例えばガルバリウム鋼板（登録商標）であれば、好適に用いることができる。
なお、建材割付用具２０、３０は、長尺材であるが、巻き取ることにより、容易に持ち運びできる。
【００１１】
割付目印２１は、所定間隔ごとに表示してある。その間隔は、取り付ける建材の働き幅によって設定することができる。例えば、図１に示すように、同一幅の建材１〜１６を施工するのであれば、同一間隔に割付目印２１を表示した建材割付用具２０を用意することができる。図１に示す建材割付用具２０は、建材の働き幅が３００ｍｍの例である。
更に、建材割付用具２０は、割付目印２１に加えて、寸法測定用目盛２５を表示したものとすることができる。寸法測定用目盛２５を表示することで、スケール（物差し）としても使用でき、施工現場において、別途スケールを用意しなくても採寸をすることができる。図１に示す寸法測定用目盛２５は１ｍｍ間隔で表示した例である。
割付目印２１及び寸法測定用目盛２５を付与する手段は特に限定はなく、インクジェットによる印刷、スクリーン印刷、レーザによる刻印、印刷したシールの貼付、その他の表示手段を採用することができる。
【００１２】
建材割付用具２０は建物の壁又は屋根に取着する手段は特に限定はなく、釘、ビス、ステープルなどの固定部材を用いることができる。
これらのうち、建材割付用具２０をスライド固定可能な固定部材４０を更に備えることが好ましい。図１及び図２に示すように、固定部材４０としてのステープルを建材割付用具２０がスライド可能な程度に緩固定することができる。こうすることで、建材割付用具２０を取着した後でもスライドして微調整を行うことができる。
図１に示すように、上部が屋根８０の勾配に沿った建材の施工箇所については更に、屋根勾配係数を乗じた建材割付用具３０を用いることが好ましい。
また、建材割付用具２０、３０は、下地材に緩固定して使用した場合は、建材１〜１６を取り付けた後に、引き抜くことによりリサイクルが容易に可能である。
【００１３】
［施工例］
以下、建物１００の下地材７５上に、縦長の建材１〜１６を施工する例について具体的に説明する。なお、以下に示す施工例は、一例であって本考案を限定するものではない。
図１に示すように、建材割付用具２０及び建材割付用具３０を用意する。建材割付用具２０は、建材１〜１６の横幅に合わせて同一間隔に割付目印２１を表示したものであり、建材割付用具３０は、割付目印２１の間隔に屋根勾配係数を乗じた間隔の割付目印３１を表示したものである。
そして、建物１００の水平方向の上段と下段にそれぞれ施工した下地材７５の２箇所に、建材割付用具２０を配置し、屋根８０の下斜め方向左右にそれぞれ施工した下地材７５の２箇所に建材割付用具３０を配置し、それぞれを複数のステープル４０で緩固定する。
【００１４】
次いで、建材割付用具２０をスライドして、それぞれの割付目印２１の右端２１ａを壁端７１に合わせ、左端２１ｂを壁端７２に合わせる。同様に、建材割付用具３０をスライドして、それぞれの割付目印３１の右端３１ａを壁端７１に合わせ、左端３１ｂを壁端７２に合わせる。
以上のように建材割付用具２０、３０の取着をすることにより、建材１〜１６の正確な位置決めが完了する。
こうすることで、下段の建材割付用具２０の割付目印２１と対応する、上段の建材割付用具２０の割付目印２１と、傾斜した建材割付用具３０の割付目印３１とが垂直方向に１直線となる。このため、建材１〜１６は傾くことなく、正確な位置に取り付けることができる。
【００１５】
そうすると、建材１〜１６は、プレカットしておくことができ、建材１、２を取り付け後、建材３の準備を待つまでもなく、建材４（４′、４″）、建材５（５′、５″）を先行して、取り付けることができる。
そうすると、仮に、建材３の切り欠き作業を作業者２人で行うとしても、他の２人の作業者が、建材４（４′、４″）、建材５（５′、５″）を建材３に先行して、取り付けることができ、建材の取り付け作業を効率的に行うことができる。
同様に、建材１２、１５、１６等を先行して施工することが可能となる。
更に、例えば施工前日に、建材１〜１６をすべてプレカットして用意し、施工当日、作業者４人全員で、建材１〜１６の取り付け作業を行うこともできる。こうであれば、建材の取り付け作業は、更に効率的である。
建材割付用具２０の割付目印２１に合わせて建材を取り付けるため、建材１〜１５と同一幅の建材１６の右端１６ａを建材１５の左端に合わせても、左端１６ｂは壁端７２に正確に合わせることができ、ずれることがない。こうすることで、外観の意匠性に優れる建材１〜１６の施工が可能となる。
【００１６】
建材１〜１６のすべての建材を取り付けた後、建材割付用具２０、３０は、ステープル４０に緩固定されているため、施工後に引き抜いてリサイクル利用が可能となる。なお、建材割付用具２０、３０のリサイクルをせず、ステープルで強固に固定して、施工により埋め込んだままにしておく仕様であってもよい。
【００１７】
本実施形態では、縦長の建材を左右方向に取り付ける施工について説明したが、横長の建材を上下方向に施工する場合においても、建材割付用具を上下方向に取着することにより行うことができる。
更に、壁のみでなく、屋根に建材を施工する場合においても、本建材割付用具を用いることができる。
【符号の説明】
【００１８】
１、２、３、４、５、６、７、８、９、１０、１１、１２、１３、１４、１５、１６・・・・・・・・建材
２０・・・・建材割付用具
２１・・・・割付目印
２５・・・・寸法測定用目盛
４０・・・・固定部材（ステープル）
８０・・・・屋根
１００・・・建物
【図１】
0003231853.tif 000003
【図２】
0003231853.tif 000004
【図３】
0003231853.tif 000005
【図４】
0003231853.tif 000006